(57)【要約】【課題】Ｗｅｂサーバのデータ構造を共通化して容易に情報を取得でき、データベースにデータ構造の変更が発生した場合にも柔軟に対応できるようにする。【解決手段】監視所１０のＬＡＮ１７にＷｅｂサーバ１８及びＷｅｂクライアント１９が接続される。Ｗｅｂサーバ１８は、既存のデータベースの中から共通化が可能な情報をＸＭＬファイル４２ａとして記憶し、その他固有の情報はデータベース４１に格納する。サーバアプリケーション４３は、Ｗｅｂクライアント１９から共通化データについてアクセスされると、ＸＭＬファイル４２ａを読出してＸＳＬＴプロセッサ４５へ出力する。ＸＳＬＴプロセッサ４５は、上記ＸＭＬファイル４２ａをＸＳＬファイル４４ａに基づいて編集し、ＨＴＭＬファイルに変換してサーバアプリケーション４３へ出力する。サーバアプリケーション４３は、上記ＨＴＭＬファイルをＷｅｂクライアント１９へ出力する。【選択図】　　図２
2004129011.tif 000002
【特許請求の範囲】
【請求項１】
複数の監視所間を接続するネットワークに各監視所毎にそれぞれＷｅｂサーバ及びＷｅｂクライアントを接続してなる監視カメラによる遠隔監視システムにおいて、
前記Ｗｅｂサーバは、各監視所で共通化が可能な情報をＸＭＬファイルとして記憶するＸＭＬファイルメモリと、各監視所で共通化が不可能な固有の情報をＨＴＭＬのファイル形式で記憶するデータベースと、ＸＭＬファイルをＸＳＬファイルに基づいて編集しＨＴＭＬファイルに変換処理するＸＳＬＴプロセッサとを具備し、前記Ｗｅｂクライアントから共通化データについてアクセスされた場合、前記ＸＭＬファイルメモリからＸＭＬファイルを読出し、該ＸＭＬファイルを前記ＸＳＬＴプロセッサによりＸＳＬファイルに基づいて編集し、ＨＴＭＬファイルに変換した後、当該Ｗｅｂクライアントへ出力することを特徴とする遠隔監視システム。
【請求項２】
複数の監視所間を接続するネットワークに各監視所毎にそれぞれＷｅｂサーバ及びＷｅｂクライアントを接続してなる監視カメラによる遠隔監視システムにおいて、
前記Ｗｅｂサーバは、各監視所で共通化が可能な情報をＸＭＬファイルとして記憶するＸＭＬファイルメモリと、各監視所で共通化が不可能な固有の情報をＨＴＭＬのファイル形式で記憶するデータベースと、前記Ｗｅｂクライアントからのアクセスに応じて前記データベースに格納されているＨＴＭＬファイルあるいは前記ＸＭＬファイルメモリに記憶されているＸＭＬファイルを読出して当該Ｗｅｂクライアントへ出力する手段とを備え、
前記Ｗｅｂクライアントは、前記Ｗｅｂサーバのデータベースから読出されたＨＴＭＬファイルを処理すると共に、前記ＷｅｂサーバのＸＭＬファイルメモリから読出されたＸＭＬファイルを編集しＨＴＭＬファイルに変換して処理するＷｅｂブラウザを備えたことを特徴とする遠隔監視システム。
【請求項３】
前記ＸＭＬファイルメモリに記憶する共通化情報は、監視カメラに関する情報であることを特徴とする請求項１又は２記載の遠隔監視システム。
【請求項４】
複数の監視所間を接続するネットワークに各監視所毎にそれぞれＷｅｂサーバ及びＷｅｂクライアントを接続してなる監視カメラによる遠隔監視システムにおいて、
前記Ｗｅｂサーバは、監視に関する各種の情報をＸＭＬのファイル形式で格納しデータ構造を共通化してなるデータベースと、前記データベースから読出したＸＭＬファイルをＸＳＬファイルに基づいて編集しＨＴＭＬファイルに変換処理するＸＳＬＴプロセッサとを具備し、前記Ｗｅｂクライアントから前記データベースがアクセスされた場合、該データベースから読出したＸＭＬファイルを前記ＸＳＬＴプロセッサによりＸＳＬファイルに基づいて編集し、ＨＴＭＬファイルに変換した後、当該Ｗｅｂクライアントへ出力することを特徴とする遠隔監視システム。
【請求項５】
複数の監視所間を接続するネットワークに各監視所毎にそれぞれＷｅｂサーバ及びＷｅｂクライアントを接続してなる監視カメラによる遠隔監視システムにおいて、
前記Ｗｅｂサーバは、監視に関する各種の情報をＸＭＬのファイル形式で格納しデータ構造を共通化してなるデータベースと、前記Ｗｅｂクライアントからのアクセスに応じて前記データベースに格納されているＸＭＬファイルを読出して当該Ｗｅｂクライアントへ出力する手段とを備え、
前記Ｗｅｂクライアントは、前記Ｗｅｂサーバのデータベースから読出されたＸＭＬファイルを処理するＷｅｂブラウザを備えたことを特徴とする遠隔監視システム。
【発明の詳細な説明】
【０００１】
【発明の属する技術分野】
本発明は、例えば河川、高速道路等の監視領域を監視カメラにより撮影し、その映像信号を伝送回線により上位局等に伝送して監視する遠隔監視システムに関する。
【０００２】
【従来の技術】
従来、例えば河川の状況や高速道路における車両の渋滞等を監視する場合、その監視領域に監視カメラを設置し、このカメラにより撮影した映像を伝送回線により監視センタ等の上位局に伝送して監視するようにした遠隔監視システムが一般に用いられている。
【０００３】
また、近年、ＣＣＴＶ（Ｃｌｏｓｅｄ−Ｃｉｒｃｕｉｔ　Ｔｅｌｅｖｉｓｉｏｎ）を利用した遠隔監視システムにおいても、Ｗｅｂ（ウェブ：Ｗｏｒｌｄ　Ｗｉｄｅ　Ｗｅｂ）を利用したシステム構築が広まっており、遠隔地点において、Ｗｅｂ画面上から監視カメラを制御できるシステムが考えられている。
【０００４】
従来の遠隔監視システムでは、各監視所に図４に示すようなデータベース（ＤＢ）１及びサーバアプリケーション２からなるＷｅｂサーバ３を持ち、監視カメラに関する情報を個々のデータベース１に格納して独自に管理している。そして、クライアント４がカメラ制御や画面生成に必要な情報を取得する場合、Ｗｅｂサーバ３をアクセスし、データベース１よりデータを取得している。上記各監視所に設けられる監視システムは、それぞれ異なる会社によりシステムの設計、製作等が行なわれる場合が多く、従って、監視カメラ等の監視に関する情報は各会社が個々のデータベース１に格納して独自に管理されることになる。
【０００５】
【発明が解決しようとする課題】
しかしながら、近年では、各社のＷｅｂサーバ３と連繋する、よりシームレスなＷｅｂシステムが要求されており、従来のように各社が独自に管理しているデータベース１では、情報を共有することが難しい。
【０００６】
また、各社が独自に持つデータベース１にアクセスするためには、クライアント４とＷｅｂサーバ３との間が独自仕様となるケースが多く、よりスピーディなクライアント開発に問題が発生することが多い。更に、データベース１におけるデータ構造の変更が発生した場合には、柔軟に対応できない場合が多い。
【０００７】
本発明は上記の課題を解決するためになされたもので、各社が管理するＷｅｂサーバのデータ構造を共通化することで容易に情報を取得でき、データベースにデータ構造の変更が発生した場合においても柔軟に対応できる遠隔監視システムを提供することを目的とする。
【０００８】
【課題を解決するための手段】
本発明は、複数の監視所間を接続するネットワークに各監視所毎にそれぞれＷｅｂサーバ及びＷｅｂクライアントを接続してなる監視カメラによる遠隔監視システムにおいて、
前記Ｗｅｂサーバは、各監視所で共通化が可能な情報をＸＭＬファイルとして記憶するＸＭＬファイルメモリと、各監視所で共通化が不可能な固有の情報をＨＴＭＬのファイル形式で記憶するデータベースと、ＸＭＬファイルをＸＳＬファイルに基づいて編集しＨＴＭＬファイルに変換処理するＸＳＬＴプロセッサとを具備し、前記Ｗｅｂクライアントから共通化データについてアクセスされた場合、前記ＸＭＬファイルメモリからＸＭＬファイルを読出し、該ＸＭＬファイルを前記ＸＳＬＴプロセッサによりＸＳＬファイルに基づいて編集し、ＨＴＭＬファイルに変換した後、当該Ｗｅｂクライアントへ出力することを特徴とする。
【０００９】
上記の構成によれば、Ｗｅｂサーバは、Ｗｅｂクライアントからアクセスされた場合、データベースに格納されているデータについては、そのままＨＴＭＬファイルとして当該Ｗｅｂクライアントへ出力するが、ＸＭＬファイルメモリに記憶されている共通化データについては、ＸＳＬＴプロセッサによりＨＴＭＬファイルに変換して出力する。すなわち、ＸＳＬＴプロセッサは、ＸＭＬファイルメモリから読出されたＸＭＬファイルが与えられると、このＸＭＬファイルをＸＳＬファイルに基づいて編集し、ＨＴＭＬファイルに変換した後、当該Ｗｅｂクライアントへ出力する。
上記のように分散配置されたＷｅｂサーバのデータ構造を共通化することにより、容易に情報を取得でき、データベースにデータ構造の変更が発生した場合においても柔軟に対応することができる。
【００１０】
【発明の実施の形態】
以下、図面を参照して本発明の一実施形態を説明する。
図１は、本発明の一実施形態に係る遠隔監視システムの全体の概略構成図である。図１において、１０は監視地点Ａに対する監視所、２０は監視地点Ｂに対する監視所である。また、３０は上位局で、上記監視所１０、２０から伝送されてくる映像を監視することができる。
【００１１】
上記監視地点Ａにおいては、監視領域例えば河川や高速道路等に沿って複数の監視カメラ１１が所定の間隔で設置される。上記監視カメラ１１としては、例えばズーム機能を備えたＣＣＴＶ（Ｃｌｏｓｅｄ−Ｃｉｒｃｕｉｔ　Ｔｅｌｅｖｉｓｉｏｎ）カメラが使用され、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式の映像信号を出力する。上記各監視カメラ１１から出力される映像信号は、伝送回線１５ａにより監視地点Ａの監視所に送られてビデオスイッチャ（ＶＳＷ）１２に入力される。
【００１２】
上記監視カメラ１１は、旋回装置（図示せず）により旋回可能に支持される。この旋回装置は、モータ等の駆動装置を備え、制御部１３からの制御指令に従って監視カメラ１１を左右及び上下方向に回動制御する。更に、制御部１３は、監視カメラ１１の機能、例えばフォーカス、ズーム、ワイパ、ワイパのウォッシャ、デフロスタ、照明、プリセット等の機能を制御すると共に、ビデオスイッチャ１２を切換え制御する。
【００１３】
上記監視カメラ１１と監視所１０との間の映像伝送方式としては、例えばパルス符号化変調（ＰＦＭ）やＭＰＥＧ２（Ｍｏｖｉｎｇ　Ｐｉｃｔｕｒｅ　Ｅｘｐｅｒｔｓ　Ｇｒｏｕｐ　２　）等の符号化方式が用いられる。
【００１４】
パルス符号化変調による伝送方式は、監視カメラ１１から出力されるＮＴＳＣの映像、すなわち動画アナログ信号を電気／光変換器（Ｅ／Ｏ）に入力し、パルス符号化変調（ＰＦＭ）すると共に光信号に変換し、光ファイバケーブルを用いた伝送回線１５ａにより監視所１０に伝送する。監視所では、伝送回線１５ａにより送られてきた光信号を光／電気変換器（Ｏ／Ｅ）により電気信号に変換し、ＮＴＳＣの映像信号に戻してビデオスイッチャ１２に入力する。
【００１５】
また、ＭＰＥＧ２を用いた伝送方式は、監視カメラ１１から出力されるＮＴＳＣの映像をエンコーダにより符号化（ＭＰＥＧ２）し、伝送装置により光信号に変換した後、伝送回線１５ａを介して監視所１０に伝送する。監視所１０では、伝送回線１５ａにより送られてきた光信号を伝送装置で受信して電気信号に変換し、デコーダで復号してビデオスイッチャ１２に入力する。
【００１６】
制御部１３は、通常、複数の監視カメラ１１により撮影された画像をビデオスイッチャ１２により順次一定時間毎に切換えてモニタ１４に表示している。監視員は、モニタ１４に表示された画像により、各監視領域における異常、渋滞等の状況を監視し、異常等が発生した場合には、それに対応した監視カメラ１１の画像を選択してモニタ１４に表示するように制御部１３を通じてビデオスイッチャ１２に指示する。また、制御部１３は、複数の監視カメラ１１で撮影された画像のうち、予め割り当てられた数の画像をビデオスイッチャ１２により選択し、伝送回線１５ｂにより上位の監視所２０へ配信する。
【００１７】
また、上記制御部１３は、例えばイーサネット（Ｒ）のインタフェース１６を介してネットワーク、すなわちＬＡＮ１７に接続される。このＬＡＮ１７には、詳細を後述するＷｅｂサーバ１８及びＷｅｂクライアント１９が接続される。上記Ｗｅｂクライアント１９は、Ｗｅｂサーバ１８をアクセスしてデータベース等から必要な情報を読出すことができる。また、上記Ｗｅｂクライアント１９からは、インタフェース１６を通じて制御部１３に制御指令を送り、監視カメラ１１のアドレスを指定して例えば旋回、フォーカス、ズーム、照明等の各種機能を制御することができる。
【００１８】
一方、監視所２０においても、上記監視所１０と同様に構成される。すなわち、監視地点Ｂには、上記監視地点Ａと同様に、監視領域に複数の監視カメラ２１が設置され、各監視カメラ２１から出力される映像信号は、伝送回線２５ａにより監視所２０へ送られてビデオスイッチャ（ＶＳＷ）２２に入力される。
【００１９】
上記監視カメラ２１は、例えばズーム機能を備えると共に旋回装置を備え、制御部２３からの制御指令に従って監視カメラ２１を左右及び上下方向に回動制御する。更に、制御部２３は、監視カメラ２１の各種機能を制御すると共に、ビデオスイッチャ２２を切換え制御する。このビデオスイッチャ２２により切換えられた監視カメラ２１の映像信号は、モニタ２４に出力される。また、上記ビデオスイッチャ２２は、上記監視カメラ２１に撮影された画像及び監視地点Ａの監視カメラ１１から送られてくる画像を制御部２３の指示に従って切換え、伝送回線２５ｂにより更に上位局３０へ伝送する。
【００２０】
上記制御部２３は、インタフェース２６を介してＬＡＮ２７に接続される。このＬＡＮ２７には、詳細を後述するＷｅｂサーバ２８及びＷｅｂクライアント２９が接続される。そして、上記監視所１０のＬＡＮ１７と監視所２０のＬＡＮ２７との間は、ルータ１０１、１０２を介して接続される。
【００２１】
また、上位局３０においても、上記監視所１０、２０と同様に構成されるものであり、詳細な説明は省略する。
【００２２】
次に、Ｗｅｂサーバ１８、２８、及びＷｅｂクライアント１９、２９部分の詳細について、図２を参照して説明する。
【００２３】
Ｗｅｂサーバ１８、２８は、データベース（ＤＢ）４１及びＸＭＬ（ｅＸｔｅｎｓｉｂｌｅ　Ｍａｒｋｕｐ　Ｌａｎｇｕａｇｅ）ファイルメモリ４２を備えると共に、プログラムメモリに格納されたサーバアプリケーション４３を備えている。そして、既存のデータベースの情報の中からＸＭＬとして表現した方が良いもの、すなわち、各社共通化が可能な情報をＸＭＬファイル４２ａとしてＸＭＬファイルメモリ４２に記憶し、共通化が不可能な固有の情報は従来と同様にＨＴＭＬファイルでデータベース４１に格納する。
【００２４】
図３は、上記監視カメラ１１、２１のカメラ情報についてＸＭＬデータ構造を定義した場合におけるＸＭＬファイル４２ａの例を示したものである。カメラ情報としては、例えば（１）アドレス情報、（２）機器情報、（３）機能情報等が設定される。
【００２５】
上記（１）のアドレス情報としては、例えば「局アドレス」、「事務所アドレス」、「出張所アドレス」、「路線番号」、「機種番号」、「号機番号」等がある。
上記（２）の機器情報としては、「機器タイプ」、「機器名称」、「機器バージョン」、「ＩＰアドレス」、「ポート番号」等がある。
上記（３）の機能情報としては、「旋回機能」、「フォーカス制御」、「ワイパ制御」、「ウォッシャ制御」、「デフロスタ制御」、「照明制御」、「プリセット機能」等がある。
【００２６】
上記ＸＭＬは、拡張可能なマークアップ言語であり、ＷＷＷコンソーシアムが標準化を進めている標準規格である。上記マークアップ言語としては、ＸＭＬ及びＨＴＭＬ（Ｈｙｐｅｒｔｅｘｔ　Ｍａｒｋｕｐ　Ｌａｎｇｕａｇｅ）が一般に知られており、文章中にレイアウト情報や文字の大きさ／飾り付けなどの特別な意味を有するタグ（文字列）を挿入して画面表示または印刷するための言語である。ＨＴＭＬのタグは、ブラウザに対して表示画像の生成方法を指示するためのものであるが、ＸＭＬでは適用アプリケーション毎に独自のタグ・セットを定義することができる。
【００２７】
ＸＭＬテキスト自体は、ＨＴＭＬのような表示画像の生成方法を指示するタグを持っていないので、ＸＭＬファイルに対する編集、整形ルールを記述したＸＳＬ（ｅＸｔｅｎｓｉｂｌｅ　Ｓｔｙｌｅ　Ｌａｎｇｕａｇｅ）ファイル４４ａをＸＳＬファイルメモリ４４に予め記憶して用意し、ＸＳＬファイル４４ａに基づいて編集、整形する。本実施形態では、Ｗｅｂサーバ１８内にＸＳＬＴプロセッサ４５を設け、このＸＳＬＴプロセッサ４５により、ＸＭＬファイル４２ａをＸＳＬファイル４４ａに基づいて編集すると共に、ＨＴＭＬファイルに変換するようにしている。
【００２８】
サーバアプリケーション４３は、Ｗｅｂクライアント１９（２９）からｗｅｂブラウザにより、ＸＭＬファイルメモリ４２に格納されている共通化データについてアクセスされた場合、ＸＭＬファイルメモリ４２からＸＭＬファイル４２ａを読出してＸＳＬＴプロセッサ４５へ出力する。ＸＳＬＴプロセッサ４５は、サーバアプリケーション４３によりＸＭＬファイル４２ａが与えられると、ＸＳＬファイルメモリ４４からＸＳＬファイル４４ａを読出し、上記ＸＭＬファイル４２ａをＸＳＬファイル４４ａに基づいて編集し、且つＨＴＭＬファイルに変換してサーバアプリケーション４３へ出力する。サーバアプリケーション４３は、上記ＸＳＬＴプロセッサ４５で変換されたＨＴＭＬファイルをＷｅｂクライアント１９（２９）へ出力する。
【００２９】
また、サーバアプリケーション４３は、データベース４１に格納されているデータについては、そのままＨＴＭＬファイルでＷｅｂクライアント１９（２９）へ出力する。
【００３０】
次に、上記のように構成された遠隔監視システムの全体の動作を説明する。　図１において、監視カメラ１１は、監視地点Ａの監視領域を撮影し、その撮影画像を伝送回線１５ａにより監視所１０のビデオスイッチャ１２に伝送する。制御部１３は、監視カメラ１１により撮影された画像をビデオスイッチャ１２により順次一定時間毎に切換えてモニタ１４に表示し、異常が発生した場合等、監視員により特定の監視カメラ１１が指定された場合には、その画像を選択してモニタ１４に表示する。また、制御部１３は、複数の監視カメラ１１で撮影された画像のうち、予め割り当てられた数の画像をビデオスイッチャ１２により選択し、伝送回線１５ｂにより上位の監視所２０へ配信する。
【００３１】
監視所２０では、監視所１０と同様に、監視カメラ２１で撮影された監視地点Ｂの画像をビデオスイッチャ２２により順次一定時間毎に切換えてモニタ２４に表示すると共に、予め割り当てられた数の画像を伝送回線２５ｂにより上位局３０へ配信する。また、監視所２０では、監視所１０から送られてくる監視カメラ１１の撮影画像をビデオスイッチャ２２で選択してモニタ２４に表示することも可能である。
【００３２】
上位局３０では、監視所１０及び監視所２０から送られてくる画像をビデオスイッチャにより任意に切換えてモニタに表示し、監視することができる。
【００３３】
また、監視所１０におけるＷｅｂクライアント１９は、Ｗｅｂサーバ１８をアクセスし、データベース４１に格納されている固有のデータ及びＸＭＬファイルメモリ４２に格納されている共通化データを任意に読出すことができる。この場合、サーバアプリケーション４３は、ＸＭＬファイルメモリ４２から読出したＸＭＬファイル４２ａについては、ＸＳＬＴプロセッサ４５によりＨＴＭＬファイルに変換した後、Ｗｅｂクライアント１９へ出力する。
【００３４】
また、上記Ｗｅｂクライアント１９は、監視所２０の系統に属するＷｅｂサーバ２８に対してもルータ１０１、１０２を通じてアクセスし、Ｗｅｂサーバ２８内のＸＭＬファイルメモリ４２に記憶されているＸＭＬファイル４２ａをＨＴＭＬファイルの形式で読出すことができる。
【００３５】
また、同様に監視所２０の系統に属するＷｅｂクライアント２９においても、監視所１０の系統のＷｅｂサーバ１８に対してルータ１０１、１０２を通じてアクセスし、Ｗｅｂサーバ１８内のＸＭＬファイルメモリ４２に記憶されているＸＭＬファイル４２ａをＨＴＭＬファイルの形式で読出すことができる。
【００３６】
上記のように監視所１０のＷｅｂサーバ１８、監視所２０のＷｅｂサーバ２８に対し、データ構造を共通化することで、例えばカメラ情報のようなデータについてはＸＭＬファイルのタグ・セットを共通化することで、容易に情報を取得することが可能になる。例えば各監視所１０、２０毎に異なる会社がシステムの設計、製作等を行なう場合があるが、このような場合でも、Ｗｅｂサーバ１８、２８のデータ構造を共通化することで、各Ｗｅｂクライアント１９、２９は、系統の異なるシステムのＷｅｂサーバ１８、２８から例えばカメラ制御の生成画面に必要な情報等を容易に取得でき、データベースにデータ構造の変更が発生した場合においても柔軟に対応することができる
また、各Ｗｅｂサーバ１８、２８のデータ構造を共通化した場合でも、Ｗｅｂクライアント１９、２９のデザインへ影響するものではなく、各社独自のＷｅｂ画面を設計することができる。
また、ＸＭＬファイル４２ａのデータ構造が変更になっても、ＸＳＬファイル４４ａの記述によって柔軟に対応でき、クライアントの実装に殆ど影響しない。
【００３７】
なお、上記実施形態では、データベースの情報の中から一部の情報をＸＭＬファイルとしてＸＭＬファイルメモリ４２に記憶するようにしたが、データベースの情報を全てＸＭＬ化して実現可能な場合には、ＸＭＬのみとしても良いことは勿論である。また、上記実施形態で示した構成は、基本的なアーキテクチャであり、ＸＭＬデータそのものをデータベース４１に格納する場合も考えられる。
【００３８】
また、上記実施形態では、Ｗｅｂサーバ１８、２８内にＸＳＬＴプロセッサ４５を設け、ＸＭＬ形式のデータをＨＴＭＬ形式のデータに変換する場合について示したが、Ｗｅｂクライアント１９、２９のＷｅｂブラウザ自体にＸＳＬＴプロセッサ４５と同等の機能を有する場合、すなわち、ＸＭＬデータを処理する機能を備えている場合は、Ｗｅｂサーバ１８、２８内にＸＳＬＴプロセッサ４５を設けなくても良い。
【００３９】
【発明の効果】
以上詳記したように本発明によれば、Ｗｅｂサーバを利用してカメラ等に関する情報を管理する遠隔監視システムにおいて、分散配置されたＷｅｂサーバのデータ構造を共通化することにより、例えばカメラ制御の生成画面に必要な情報等を容易に取得でき、データベースにデータ構造の変更が発生した場合においても柔軟に対応することができる。
【図面の簡単な説明】
【図１】本発明の一実施形態に係る遠隔監視システムの全体の概略構成図。
【図２】同実施形態におけるＷｅｂサーバ及びＷｅｂクライアント部分の構成を示すブロック図。
【図３】同実施形態において、カメラ情報についてＸＭＬデータ構造を定義した場合の例を示す図。
【図４】従来の遠隔監視システムにおけるＷｅｂサーバ及びＷｅｂクライアント部分の概略構成図。
【符号の説明】
１０、２０…監視所
１１、２１…監視カメラ
１２、２２…ビデオスイッチャ（ＶＳＷ）
１３、２３…制御部
１４、２４…モニタ
１５ａ、１５ｂ、２５ａ、２５ｂ…伝送回線
１６、２６…インタフェース
１７、２７…ＬＡＮ
１８、２８…Ｗｅｂサーバ
１９、２９…Ｗｅｂクライアント
３０…上位局
４１…データベース
４２…ＸＭＬファイルメモリ
４２ａ…ＸＭＬファイル
４３…サーバアプリケーション
４４…ＸＳＬファイルメモリ
４４ａ…ＸＳＬファイル
４５…ＸＳＬＴプロセッサ
１０１、１０２…ルータ
【図１】
2004129011.tif 000003
【図２】
2004129011.tif 000004
【図３】
2004129011.tif 000005
【図４】
2004129011.tif 000006